(57)【要約】【課題】  弾性材料から一方に開放するトレー状に形成されているとともに、被包装物(1)の少なくとも下面に被覆させる包装材において、外的衝撃に対する弾性吸収力を高めることにより、被包装物に対する緩衝性能機能および保護性能の向上を図ること。【解決手段】  被包装物(1)の前記下面を部分的に直接又は間接的に支持する中空の支持脚(24)(25)が複数箇所に突設されており、支持脚(24)(25)の基端部には透孔(240)(250)が形成されていること。【選択図】  図１
2006232355.tif 000002
【特許請求の範囲】
【請求項１】
弾性材料から一方に開放するトレー状に形成されていると共に、被包装物の少なくとも下面に被覆させる包装材において、
前記被包装物の前記下面を部分的に直接又は間接的に支持する中空の支持脚がトレー内の複数箇所に突設されており、
前記支持脚の基端部には透孔が形成されていることを特徴とする包装材。
【請求項２】
請求項１に記載の包装材において、前記被包装物は、本体ケースとその前方開放端部を閉塞させる前蓋とが、前記本体ケースの外周よりも外方へ張り出している接合フランジによって接合された形状の箱体とし、
前記支持脚の一部は前記接合フランジの後面に近接して設けられると共に、前記接合フランジの前方に位置する前記トレー内には中空突起が設けられ、
前記一部の支持脚には後方に向かって開放する透孔が設けられ、
前記中空突起には前方又は頂面に開放するスリットが設けられていることを特徴とする包装材。
【発明の詳細な説明】
【技術分野】
【０００１】
本発明は、包装材に関するもので、例えば、給湯器やガス風呂釜等の被包装物を包装する場合等に利用できる。
【背景技術】
【０００２】
この種の包装材として、特許文献１に記載されたものが知られている。
このものは、図６に示すように、一対の保護トレー(4)(4)を、被包装物たる給湯器(1)の上下からそれぞれ外嵌させると共に、その外周を、結束バンド(41)(41)で巻回固定し、さらに、全体を熱収縮性フィルム(42)で覆ってシュリンク包装されている。
尚、給湯器(1)は、機器本体を内蔵する前方開放の本体ケース(10)と、その前方開放端部を閉塞する前蓋(11)とが接合フランジ(17)を介して接合された構成となっている。
前記保護トレー(4)は合成樹脂の一体成型により、図７に示すように、複数の上向き面部(40a)(40a)と横向き面部(40b)(40b)とが内方へ突出するように設けられており、前記上向き面部(40a)(40a)で給湯器(1)の下面を部分的に支持すると共に、横向き面部(40b)(40b)によって、保護トレー(4)内における水平方向の位置決めを行っている。
又、保護トレー(4)の一方の長辺に沿った側（給湯器(1)の前蓋(11)側に対応させる側）に形成されている上向き面部(40a)(40a)の基端部近傍には、前記接合フランジ(17)を挿入させる凹溝(43)が形成されている。
【０００３】
前記上向き面部(40a)(40a)は横向き面部(40b)(40b)と共に、保護トレー(4)の底壁及び周壁から内方へ浮き上がった中空に形成されていることから、給湯器(1)の下面を前記上向き面部(40a)(40a)上に載置させると、前記給湯器(1)は、空間を介して床から浮いた状態に支持されることとなる。又、給湯器(1)の側面は、横向き面部(40b)(40b)によって、保護トレー(4)の周壁から空間を介して水平方向に支持された態様となる。これにより、保護トレー(4)に設けた上向き面部(40a)(40a)及び横向き面部(40b)(40b)が、給湯器(1)が受ける床面側及び外周側からの外的衝撃を弾性吸収する緩衝機能を発揮することとなり、前記給湯器(1)は、外的衝撃から保護された状態に包装されることとなる。
【特許文献１】特開２００１―１５１２６６号公報
【特許文献２】特開２００３−３１２７１６号公報
【発明の開示】
【発明が解決しようとする課題】
【０００４】
上記従来のものでは、保護トレー(4)の上向き面部(40a)(40a)及び横向き面部(40b)(40b)は、合成樹脂により中空体状に構成されているため、給湯器(1)が載置された状態において、ある程度の弾性は期待できるが、前記上向き面部(40a)(40a)及び横向き面部(40b)(40b)を支えている支持面(44)(45)は、保護トレー(4)の底壁及び周壁に対して略直角方向に一体的に連続形成されていることから、比較的強度があり、前記支持面(44)(45)自体の弾性変形は期待できない。
従って、前記給湯器(1)を保護トレー(4)上に載置した状態にて、運送や取扱い時等に過大な外的衝撃が作用した場合、前記衝撃による荷重は、前記上向き面部(40a)(40a)や横向き面部(40b)(40b)を介して前記給湯器(1)が受けることとなり、前記給湯器(1)が損傷を受けるおそれがある。
【０００５】
又、接合フランジ(17)を凹溝(43)に挿入させた状態にて、前記横向き面部(40b)(40b)で吸収される力以上の水平方向の力が作用した場合には、前記接合フランジ(17)や前蓋(11)の下端部が変形してしまうといった不都合がある。
本発明はかかる点に鑑みて成されたもので、
『弾性材料から一方に開放するトレー状に形成されていると共に、被包装物の少なくとも下面に被覆させる包装材』において、外的衝撃に対する弾性吸収力を高め、被包装物に対する緩衝性能機能及び保護性能の向上を図ることを課題とする。
【課題を解決するための手段】
【０００６】
［請求項１に係る発明］
上記課題を解決する為の請求項１に係る発明の技術的手段は、『前記被包装物の下面を部分的に直接又は間接的に支持する中空の支持脚がトレー内の複数箇所に突設されており、
前記支持脚の基端部には透孔が形成されている』ことである。
上記技術的手段は次のように作用する。
被包装物の少なくとも下面にトレー状の包装材を外嵌させると、前記被包装物は、中空の支持脚によって部分的に支持され、前記支持脚の高さ分床から浮いた状態に載置される。前記支持脚の基端部には、透孔が形成されているから、前記支持脚は、透孔が形成されている方向に撓み易く、弾性変形し易い形状となっている。よって、被包装物の荷重や運送時の衝撃等によって前記支持脚に上方からの荷重がかかった場合には、前記荷重によって前記支持脚は透孔の形成方向に撓むこととなり、その分、クッション性が高まり、衝撃吸収力が増大する。
尚、前記被包装物は、前記支持脚に直接載置させる包装態様でもよいが、前記被包装物の下面と前記支持脚との間に、中間部材を介してさらにクッション性を高めるようにしても良い。
【０００７】
[請求項２に係る発明]
請求項１に係る発明において、『前記被包装物は、本体ケースとその前方開放端部を閉塞させる前蓋とが、前記本体ケースの外周よりも外方へ張り出している接合フランジによって接合された形状の箱体とし、
前記支持脚の一部は前記接合フランジの後面に近接して設けられると共に、前記接合フランジの前方に位置する前記トレー内には中空突起が設けられ、
前記一部の支持脚には後方に向かって開放する透孔が設けられ、
前記中空突起には前方又は頂面に開放するスリットが設けられている』ものでは、前記被包装物としては、前方開放の本体ケースと、その前方開放端部を閉塞させる前蓋とからなると共に、両者を接合させるための接合フランジが本体ケース及び前蓋の上下左右に張り出した形状の、例えば、給湯器等とすることができる。接合フランジは、包装材を構成するトレー内において、その後方に近接させた支持脚と前方の中空突起との間に挟まれた態様となる。これにより、外的衝撃によって、被包装物が前方に移動させられた場合、前方又は頂面にスリットが形成された中空突起が前記接合フランジに押されて前方に撓み、逆に、被包装物が後方に移動させられた場合には、前記接合フランジの後方に位置し且つ後方に透孔が形成されている支持脚が後方に接合フランジで押されて後方へ撓むこととなる。
【発明の効果】
【０００８】
本発明は次の特有の効果を有する。
請求項１に係る発明では、被包装物を受ける支持脚は、透孔が形成されている方向に撓み易い構成となっているから、透孔が設けられていない従来のものに比べて変形し易い。言い換えれば、外的衝撃によって被包装物が変形するより前に前記支持脚が変形することによって、被包装物に対する衝撃吸収機能を増大させ、保護性能を向上させることができる。又、支持脚を弾性的に撓ませることにより、支持脚自体の破損も防止することができる。
【０００９】
請求項２に係る発明では、接合フランジが外方に張り出した形状の被包装物の場合に、前記支持脚と中空突起とで、前記接合フランジを挟み込んで保護できる。又、前後方向の外的衝撃が加えられても、接合フランジが衝撃によって変形するより前に、前記支持脚又は中空突起が変形し衝撃を吸収することとなるから、接合フランジが変形することがない。よって、接合フランジ付きの被包装物を確実に保護することができる。
【発明を実施するための最良の形態】
【００１０】
以下に、本発明を実施するための最良の形態について添付図面を参照しながら説明する。
図１に示す第１番目の実施の形態では、被包装物を支持脚で直接支持させずに、被包装物の下面と支持脚との間に中間部材として、支持部材(3)を設けると共に、前記支持部材(3)のさらに下方に、本発明の包装材としての外装カバー(2)を外嵌させる構成とした。
さらに、この実施の形態では、前記支持部材(3)及び外装カバー(2)は、図１及び図２に示すように、被包装物たる給湯器(1)の上面と下面に各別に被覆させるように上下一対ずつ具備させている。
【００１１】
上方の外装カバー(2)は下方の外装カバー(2)を上下反転させたもの、即ち、上下に面対称に形成されたもので、これらは同一構造を有している。又、上方の支持部材(3)は下方の支持部材(3)を上下反転させたもので、これらは同一構造を有している。但し、上下の支持部材(3)(3)は、外周輪郭形状が同一であれば良く、その他の形状を同一にすることは必須ではない。
外装カバー(2)は、薄肉成形樹脂であり、図１に示すように、一方が開口した矩形トレー状に形成されている。
外装カバー(2)における開口近傍壁(21)の一対の長辺部(211)(211)の外面には、後述の包装用の結束バンド(41)を係合させる為のバンド係合溝(211a)(211a)が、長手方向の中央から等距離に凹設されている。又、短辺部(212)(212)の中央部外面にもバンド係合溝(212a)が凹設されていると共に、バンド係合溝(212a)の両脇には、横長の手掛孔(22)(22)が開設されている。
【００１２】
前記外装カバー(2)の前記短辺部(212)(212)に沿った底壁には、図１に示すように、中空の支持脚(24)(25)がそれぞれ一体成型により設けられており、これら支持脚(24)(25)に前記支持部材(3)が載置される構成とする。
前記支持脚は、前記短辺部(212)の中央に位置し長円形の頂面を有する中央支持脚(25)と、その両側に位置し且つ円形の頂面を有する一対のコーナ支持脚(24)(24)とからなり、それぞれの基端部から外装カバー(2)の底壁に繋がる範囲には、複数の矩形孔(250)(240)（既述発明特定事項の「透孔」に対応する。）が内方に向かって開放するように開設されている。
前記両支持脚(24)(25)は、合成樹脂製の外装カバー(2)と一体成型により構成されていることから、図３の二点鎖線に示すように、前記矩形孔(250)(240)が開放している方向に撓むように弾性変形可能となる。これにより、運送時等の衝撃で上方又は下方から過大な荷重が作用したとき、前記支持脚(24)(25)が弾性変形して内側に撓むことから、前記支持脚(24)(25)によって、確実に衝撃吸収が行なえることとなる。
【００１３】
このものでは、前述のように、一対の長辺部(211)に形成されたバンド係合溝(211a)(211a)が該長辺の中央から等距離に位置し、開口近傍壁(21)の一対の短辺部(212)に形成されたバンド係合溝(212a)が該短辺方向の中央に形成され、四個のコーナ支持脚(24)(24)は、外装カバー(2)の外周輪郭形状と同心の長方形の各頂点に配設されており、更に、短辺部(212)の中央には中央支持脚(25)(25)が配設されていることから、外装カバー(2)は、その平面視の形状が、中心点の回りに１８０度回転させると元の形状となる回転対象に形成されていることとなる。よって、外装カバー(2)の方向性に関する制約がない。
【００１４】
外装カバー(2)に嵌入される支持部材(3)は、図１に示すように、ベース枠(3a)とこれの短辺部に積層される器具位置決め用のサイドブロック(3b)から構成されている。
ベース枠(3a)は、給湯器(1)の底面外周に沿った領域に面接触するもので、全体として矩形枠状に形成されている。本実施の形態では、図１において、ベース枠(3a)に形成された略矩形状の中央孔(30)の略全周に沿って斜線を施した器具支持面(S)が給湯器(1)の底面に接触する。従って、給湯器(1)の底面中央に比べて強度が高い外周部が外装カバー(2)で受け止められ、給湯器(1)の損傷防止に有効なものとなる。尚、図３に示すように、下方の支持部材(3)の中央孔(30)には、給湯器(1)の底面から突出する配管接続口(15)(15)や水抜栓(16)(16)等の突出物が位置するようになっている。
【００１５】
中央孔(30)の一方の長辺部の両端には切欠(32)(32)が延長しており、切欠(32)(32)には、給湯器(1)の本体ケース(10)と前蓋(11)（図１，図３参照）の接合部に上下左右方向に向かって張り出させた接合フランジ(17)が挿入されるようになっている。
図４に示すように、支持部材(3)の四隅部(34)(34)の近傍では、外装カバー(2)における長辺部(211)との間に間隙(L)が確保されるようになっており、この間隔(L)により、給湯器(1)の荷重でコーナ支持脚(24)が内側に倒れこむように変形した際、これに連動して外装カバー(2)の開口近傍壁(21)の両端近傍部(26)が内側に撓むのを許容できるようにしている。
尚、ベース枠(3a)やサイドブロック(3b)は、樹脂板、樹脂成形品、発泡樹脂板、発泡樹脂成形品、ハードボード、ベニア板、段ボール紙等の種々の材料を使用することができる。
【００１６】
次に、本実施の形態に係る包装材を用いた包装作業の実際を説明する。
被包装物たる給湯器(1)の形状やサイズ毎に異なった形状・サイズの中央孔(30)が形成された複数種類の支持部材(3)を予め準備しておく。
準備した支持部材(3)の中から、被包装物たる給湯器(1)の形状やサイズに適合する支持部材(3)を選択し、これを給湯器(1)の底面に外嵌する。すると、給湯器(1)の外周域が支持部材(3)のベース枠(3a)内周に沿った器具支持面(S)に面接触する、一方、Ｌ字状に形成されたサイドブロック(3b)(3b)の内周が給湯器(1)の側面及び背面に当接し、これにより、支持部材(3)と給湯器(1)が位置決め状態に嵌合する。次に、支持部材(3)に対してトレー状の外装カバー(2)を外嵌させると、その底壁から隆起する全ての支持脚(24)(24)(25)(25)の頂面が支持部材(3)に当接する。次に、これと同様にして、給湯器(1)の上面部にも支持部材(3)と外装カバー(2)を外嵌装着させる。
【００１７】
その後、外装カバー(2)(2)の外側をポリプロピレン製の結束バンド(41)(41)で巻回固定する。即ち、外装カバー(2)の開口近傍壁(21)の外周に形成された各バンド係合溝(211a)(211a)(212a)(212a)に結束バンド(41)(41)を掛けるようにして、該結束バンド(41)(41)を巻回してその両端相互を溶着固定する。その後、結束バンド(41)(41)が巻回された包装物の外側を熱収縮性フィルム(42)で被覆してシュリンク包装する。これにより、包装作業が完了する。
このものでは、給湯器(1)の外周域を支持部材(3)のベース枠(3a)の内周に沿った器具支持面(S)で受けると共に、前記ベース枠(3a)を６つの支持脚(24)(25)で受ける構成となる。前記支持脚(24)(25)の基端部には、それぞれ内方へ開放するように矩形孔(240)(250)が形成されていると共に、外装カバー全体が弾性変形可能な材質から構成されていることから、上方又は下方からかかる荷重によって、図３の二点鎖線に示すように、内方へ撓み易くなっている。よって、運送時等に包装物に上方から又は下方から外的衝撃が加わった場合にかかる荷重は、前記支持部材(3)とさらに、弾性変形可能な支持脚(24)(25)で吸収されることとなるから、被包装物の損傷防止の為のクッション性が向上することとなる。
上記実施の形態では、給湯器(1)を支持部材(3)を介して外装カバー(2)に外嵌させる構成としたが、図５に示すように、給湯器(1)を外装カバー(2)の支持脚(24)(25)に直接載置させるようにしても良い。
【００１８】
前記給湯器(1)は、上記したように、本体ケース(10)と前蓋(11)とから構成されていると共に、前記本体ケース(10)の前方開放端部の外周及び前蓋(11)の周縁から上下左右方向へ張り出させている接合フランジ(17)相互を接合させることにより、本体ケース(10)と前蓋(11)とは一体となっている。
この実施の形態では、前記支持脚(24)(25)は、前記外装カバー(2)内において、すべて、本体ケース(10)の下面の外周域に対応する位置に配設されるように設けられていると共に、前記外周域の前方に位置させる支持脚(24)(25)は、前記接合フランジ(17)の下端後面に近接する位置に配設させている。又、接合フランジ(17)の下端前面に略接触する位置には、別途、頂面にスリット(20)が開放している中空突起(21)を突設させている。
【００１９】
このものでは、前記接合フランジ(17)の下端部が中空突起(21)と支持脚(24)(25)で挟まれる態様に収容され、前記支持脚(24)(25)の基端部には、上記した第１番目の実施の形態と同様な、外装カバー(2)の内方に開放する矩形孔(240)(250)が開放されていると共に、前記中空突起(21)には、その頂面にスリット(20)が形成されていることから、前記給湯器(1)が前方からの衝撃によって後方へ移動させられた場合、支持脚(24)(25)は、同図の二点鎖線に示すように、後方（外装カバー(2)の内方）に撓んで衝撃を吸収し、前記給湯器(1)が後方からの衝撃によって前方へ移動させられる場合には、同じく二点鎖線に示すように、中空突起(21)が前方へ撓んで接合フランジ(17)への衝撃を吸収することとなる。このように、給湯器(1)に対して前後方向への衝撃が加わり、給湯器(1)が外装カバー(2)に対して前後方向に移動させられる場合でも、接合フランジ(17)の下端部が変形する前に、中空突起(21)と支持脚(24)(25)とが弾性変形することによって接合フランジ(17)の下端部にかかる荷重は吸収され、前記接合フランジ(17)の下端部は保護されることとなり、外的衝撃によって接合フランジ(17)が不用意に変形させられる不都合を防止することができる。
【００２０】
上記各実施の形態では、給湯器(1)を外装カバー(2)の支持脚(24)(25)によって間接的又は直接的に支持させると共に、前記支持脚(24)(25)又は中空突起(21)は、弾性的に撓むように構成されているから、運送時等において、給湯器(1)が受ける衝撃は、これら支持脚(24)(25)及び第２番目の実施の形態における中空突起(21)は、弾性変形しながら衝撃を吸収することができるようにしたから、外装カバー(2)における大きなクッション性が期待でき、緩衝性能機能及び保護性能の向上した包装材を提供することができる。
尚、上記実施の形態は、被包装物として、給湯器(1)を例示的に説明したが、本発明の包装材は、バランス釜等の風呂釜やその他の被包装物を包装する場合にも適用できる。
【図面の簡単な説明】
【００２１】
【図１】本発明の実施の形態に係る下方の包装材の説明図
【図２】本発明の実施の形態に係る上方の包装材の説明図
【図３】本発明の実施の形態に係る包装材を用いた包装物の断面図
【図４】外装カバーの平面図
【図５】本発明の他の実施の形態を示す要部拡大断面図。
【図６】従来の包装材の使用状態を示す説明図。
【図７】従来の包装材の説明図。
【符号の説明】
【００２２】
(1)・・・・・給湯器（被包装物） 
(2)・・・・・外装ケース（包装材）
(24)(25)・・・支持脚
(240)(250)・・矩形孔（透孔）
【図１】
2006232355.tif 000003
【図２】
2006232355.tif 000004
【図３】
2006232355.tif 000005
【図４】
2006232355.tif 000006
【図５】
2006232355.tif 000007
【図６】
2006232355.tif 000008
【図７】
2006232355.tif 000009